(57)【要約】【課題】処理した紙幣の中に鑑別部で正常でないと判断されたリジェクト紙幣が含まれていた場合に、そのリジェクト紙幣が含まれる取引を後から特定することが可能な紙幣処理機を提供する。【解決手段】紙幣処理機内部に設けられ、搬送路内に仕切カードを繰り出し可能な仕切カード繰出部を更に備え、一取引ごとに一括でホッパに受け入れられたすべての紙幣の処理が完了した時点で、前記仕切カード繰出部から一枚の仕切カードを繰り出して、リジェクトスタッカに搬送する。【選択図】図１
2006236212.tif 000002
【特許請求の範囲】
【請求項１】
処理すべき紙幣を一括で受け入れるホッパと、該ホッパで受け入れた紙幣を一枚ずつ搬送路内に繰り出して搬送させる繰出搬送部と、該繰出搬送部の下流側に設けられ搬送される紙幣の性状を鑑別する鑑別部と、該鑑別部で正常と判断された紙幣を集積させるスタッカと、前記鑑別部で正常でないと判断された紙幣を集積させるリジェクトスタッカとを備えた紙幣処理機において、
該紙幣処理機内部に設けられ、前記搬送路内に仕切カードを繰り出し可能な仕切カード繰出部を更に備え、
一取引ごとに一括で前記ホッパに受け入れられたすべての紙幣の処理が完了した時点で、前記仕切カード繰出部から一枚の仕切カードを繰り出して、前記リジェクトスタッカに搬送するようにしたことを特徴とする紙幣処理機。
【請求項２】
処理すべき紙幣を一括で受け入れるホッパと、該ホッパで受け入れた紙幣を一枚ずつ搬送路内に繰り出して搬送させる繰出搬送部と、該繰出搬送部の下流側に設けられ搬送される紙幣の性状を鑑別する鑑別部と、該鑑別部で正常と判断された紙幣を集積させるスタッカと、前記鑑別部で正常でないと判断された紙幣を集積させるリジェクトスタッカとを備えた紙幣処理機において、
該紙幣処理機内の前記鑑別部の上流側に、前記搬送路内に仕切カードを繰り出し可能な仕切カード繰出部を更に備え、
一取引ごとに一括で前記ホッパに受け入れた前記紙幣の中に前記鑑別部での判断が正常でないものが少なくとも１枚存在していた場合には、前記ホッパに一括で受け入れられたすべての紙幣の処理が完了した時点で、前記仕切カード繰出部から一枚の仕切カードを繰り出して、前記リジェクトスタッカに搬送するものであって、かつ、
前記仕切カードには固有の識別情報が予め付与されており、繰り出されて前記鑑別部を通過する際に前記識別情報を読み出し、処理が行われた紙幣が属する取引と前記仕切カードとを対応付けて記憶することを特徴とする紙幣処理機。
【請求項３】
前記ホッパに紙幣検知センサを更に備え、該紙幣検知センサが紙幣有りを検知後、紙幣無しを検知した時点を、一取引に係るすべての紙幣の処理が完了した時点と判断して前記仕切カードを繰り出すようにしたことを特徴とする請求項1又は２に記載の紙幣処理機。
【請求項４】
前記スタッカが金種別に設けられ、前記鑑別部で鑑別された金種に対応した前記スタッカに集積されることを特徴とする請求項1乃至３のいずれかに記載の紙幣処理機。
【発明の詳細な説明】
【技術分野】
【０００１】
本発明は、紙幣処理機に関するもので、特に、処理した紙幣の中に鑑別部で正常でないと判断されたリジェクト紙幣が含まれていた場合に、そのリジェクト紙幣が含まれる取引を後から特定可能とすると共に、複数の取引に係る紙幣の処理を順次迅速に行うことができるようにした紙幣処理機に関する。
【背景技術】
【０００２】
取引に係る紙幣を入金処理する装置として例えば特開平10−143711号公報に示されるものがある。
上記公報には、取引に係るひとかたまりの紙幣を一括で入金口に受け入れて順次搬送し、識別部で正常でないと判断された紙幣をリジェクト口に導く技術が開示されている。
【特許文献１】特開平10−143711号公報
【特許文献２】特開2002-279477公報
【発明の開示】
【発明が解決しようとする課題】
【０００３】
上記特許文献１の装置では、リジェクト紙幣が発生したときの処理が煩雑となる。例えば、複数の個別毎の取引Ａ、Ｂ及びＣについて順次入金取引を行おうとした場合に、最初の取引Ａでリジェクト紙幣が発生したとすれば、そのリジェクト紙幣を目視で再確認したり、或いは斜行が発生したことによるリジェクトの可能性もあるので、そのリジェクト紙幣を再度ホッパに載せて再処理を試みたりすることが必要となる。
いずれにしても、或る取引に係る紙幣でリジェクトが発生すれば、その場ですぐに確認（再処理）する必要があるので、次の取引に係る紙幣の処理には移れないという問題がある。
その理由は、リジェクト紙幣の再処理をせずに次の取引処理に移ってしまうと、そのリジェクト紙幣がどの取引の分であったのかを後から判別することができなくなるからである。
上述の事情に鑑み、本発明は、どの取引で発生したリジェクトなのかを後追いできるようにすることで、複数の取引を順次迅速に処理可能な紙幣処理機を提供することを目的としてなされたものである。
【課題を解決するための手段】
【０００４】
本発明は、リジェクト紙幣が含まれる取引を後から特定が可能な紙幣処理機に関し、本発明の上記目的は、処理すべき紙幣を一括で受け入れるホッパと、該ホッパで受け入れた紙幣を一枚ずつ搬送路内に繰り出して搬送させる繰出搬送部と、該繰出搬送部の下流側に設けられ搬送される紙幣の性状を鑑別する鑑別部と、該鑑別部で正常と判断された紙幣を集積させるスタッカと、前記鑑別部で正常でないと判断された紙幣を集積させるリジェクトスタッカとを備えた紙幣処理機において、
該紙幣処理機内部に設けられ、前記搬送路内に仕切カードを繰り出し可能な仕切カード繰出部を更に備え、一取引ごとに一括で前記ホッパに受け入れられたすべての紙幣の処理が完了した時点で、前記仕切カード繰出部から一枚の仕切カードを繰り出して、前記リジェクトスタッカに搬送するように構成することによって達成される。
【０００５】
また、本発明の上記目的は、処理すべき紙幣を一括で受け入れるホッパと、該ホッパで受け入れた紙幣を一枚ずつ搬送路内に繰り出して搬送させる繰出搬送部と、該繰出搬送部の下流側に設けられ搬送される紙幣の性状を鑑別する鑑別部と、該鑑別部で正常と判断された紙幣を集積させるスタッカと、前記鑑別部で正常でないと判断された紙幣を集積させるリジェクトスタッカとを備えた紙幣処理機において、
該紙幣処理機内の前記鑑別部の上流側に、前記搬送路内に仕切カードを繰り出し可能な仕切カード繰出部を更に備え、一取引ごとに一括で前記ホッパに受け入れた前記紙幣の中に前記鑑別部での判断が正常でないものが少なくとも１枚存在していた場合には、前記ホッパに一括で受け入れられたすべての紙幣の処理が完了した時点で、前記仕切カード繰出部から一枚の仕切カードを繰り出して、前記リジェクトスタッカに搬送するものであって、かつ、前記仕切カードには固有の識別情報が予め付与されており、繰り出されて前記鑑別部を通過する際に前記識別情報を読み出し、処理が行われた紙幣が属する取引と前記仕切カードとを対応付けて記憶することによって効果的に達成される。
【０００６】
さらに、本発明の上記目的は、前記ホッパに紙幣検知センサを更に備え、該紙幣検知センサが紙幣有りを検知後、紙幣無しを検知した時点を、一取引に係るすべての紙幣の処理が完了した時点と判断して前記仕切カードを繰り出すようにすることにより、或いは、前記スタッカを金種別に設け、前記鑑別部で鑑別された金種に対応した前記スタッカに集積するように構成することにより、さらに効果的に達成される。
【発明の効果】
【０００７】
特許請求の範囲の請求項１の発明によれば、各取引ごとの紙幣の処理が終了した際に、リジェクト紙幣の発生の有無にかかわらず仕切カードをリジェクトスタッカに繰り出すようにしているので、取引の数と仕切カードの枚数が常に一致し、仕切カードの順番を辿ればどの取引においてリジェクト紙幣が発生したかを後から判別することができる。
また、特許請求の範囲の請求項２の発明によれば、リジェクト紙幣が発生した場合にのみ、紙幣の処理が終了した時点で仕切カードを繰り出し、該仕切カードの識別情報を読み取った上でリジェクトスタッカに搬送するようにしているので、リジェクトが発生した取引と仕切カードとの対応付けが可能となり、どの取引においてリジェクト紙幣が発生したかを後から判別することができる。
さらに、特許請求の範囲の請求項３の発明によれば、１回の取引分の紙幣処理が終了したことを紙幣検知センサが認識して、仕切カードを自動的に繰り出すことができるので、さらに使い勝手が良くなる。
またさらに、特許請求の範囲の請求項４の発明によれば、スタッカを金種別に備えているので、紙幣の管理が容易になる。
【発明を実施するための最良の形態】
【０００８】
以下、本発明を図面に示す実施の形態を参照して説明する。図1は本発明に係る紙幣処理機１の一実施形態の断面模式図を示すものである。紙幣処理機１の上部には処理すべき紙幣を載置するホッパ２、該ホッパ２に紙幣が在るか否かを検知する紙幣検知センサ３が設けられている。ホッパに載置された紙幣は繰り出しローラ４によって搬送路５に繰り出され、複数の搬送ローラ６によって搬送される。繰り出された紙幣は搬送途中で鑑別部７を通過し、金種、真偽、汚損状態等の性状が鑑別され、正常な紙幣と判定されれば、スタッカ８へと搬送され収納される。なお、本実施例ではスタッカ８が金種別に設けられており、例えば千円札はスタッカ８ａに、五千円札はスタッカ８ｂに、１万円札はスタッカ８ｃに収納されるようになっている。ちなみに、紙幣が千円札の場合は分岐爪９ａが開き、五千円札の場合は分岐爪９ｂが開き、分岐爪９ａは閉じるようになっている。紙幣が１万円札の場合は分岐爪９ａ及び９ｂの両方が閉じるようになっている。
【０００９】
一方、鑑別部７において異常紙幣（偽札または汚損状態がひどいもの）と判定された場合は分岐爪１０が矢印の方向に倒れ、リジェクト紙幣としてリジェクトスタッカ１１に搬送され収納される。
このようにして１回の取引分の紙幣の処理がすべて終了して紙幣検知センサ３が紙幣無しを検知すると、仕切カード繰出部１２から仕切カードが１枚繰り出されて、リジェクトスタッカ１１に搬送される。なお、図１においては、繰り出された仕切カードは鑑別部７を通過してからリジェクトスタッカに搬送されるようになっているが、これは後述のように、仕切カードに識別情報（ＩＤ）が付されている実施態様の場合には、該識別情報を読み取る必要があるからである。当然ながら、仕切カードにＩＤが付されていない実施態様においては、鑑別部７を通過させる必要はない。
【００１０】
図２は本発明に係る紙幣処理機のブロック図の一例である。繰出搬送部２１は、前記繰り出しローラ４、搬送路５及び搬送ローラ６で構成される。分岐部２２には、前記分岐爪９ａ、９ｂ及び１０が含まれる。操作表示部はオペレータが操作するのに必要なボタン類や、取引情報などを入力する入力手段を備えるとともに、処理結果等を表示する表示器（例えば液晶パネル等）を有している。記憶部２４は鑑別に必要なデータ、前記取引情報、紙幣の計数結果などを記憶しておくところである。制御部３０は、これに接続された各部を所定のプログラムによって制御するものであり、例えばマイクロプロセッサなどが利用可能である。鑑別部７は、公知の技術（例えば特許文献２参照）が利用できる。
【実施例１】
【００１１】
次に、本発明に係る紙幣処理機の第１実施例の動作について、図３のフローチャートを参照しつつ説明する。
まず始めに、機械がリセットされた状態において、これから処理を行おうとする紙幣の取引に関する情報（処理日、店舗コード等）を入力する（ステップＳ１０１）。次に当該取引に係るすべての紙幣をホッパ２に載置する（ステップS１０２）。スタートボタンを押下すると（ステップS１０３）、ホッパ２にある紙幣が１枚ずつ繰り出され、鑑別部７で金種や真偽等の性状が鑑別される（ステップS１０４）。鑑別の結果、正常な紙幣と判定されると、その紙幣の金種と枚数（累計）がカウントされて記憶部２４に記憶される（ステップS１０５）。その後、その紙幣は金種に応じてスタッカ８ａ〜８ｃのいずれかに搬送されて収納される（ステップＳ１０６）。
一方、鑑別の結果、異常であると判定された場合は、図１の分岐爪１０が矢印方向に倒れて、異常紙幣はリジェクトスタッカ１１に搬送され収納される（ステップS１０７）。
以上のステップをホッパ２に紙幣がなくなるまで繰り返し行う。ホッパ２に紙幣がなくなったことは、紙幣検知センサ３が紙幣在りから無しを検知することによって判断するようにしてもよい。ホッパ２に紙幣がなくなると、図１の分岐爪１０が矢印方向に倒れるとともに、仕切カード繰出部１２から仕切カードが１枚繰り出されて、リジェクトスタッカ１１に搬送され、収納される（ステップＳ１０８）。最後に、正常紙幣の集計結果を前記取引情報と関連付けて記憶して処理を終了する（ステップＳ１０９）。
本実施例では、リジェクト紙幣の有無にかかわらず、処理終了時に、１取引に対して１枚の仕切カードを発行するので、処理した取引の順をたどって行くことにより、リジェクト紙幣がどの取引の分かを後から確認することができる。
【実施例２】
【００１２】
次に、本発明に係る紙幣処理機の第２実施例の動作について、図４のフローチャートを参照しつつ説明する。第１実施例がリジェクト紙幣の有無にかかわらず仕切カードを発行するのに対して、本実施例では、リジェクト紙幣が発生した取引の場合のみ仕切カードを発行する点が異なる。
ステップＳ２０１からステップＳ２０６までは、上述のステップＳ１０１からステップＳ１０６と同じであるので説明は省略する。鑑別の結果、異常であると判定された場合は、その取引に係る紙幣にリジェクト紙幣が発生したことを記憶させておくためにリジェクトフラグを立てる（ステップＳ２０７）。ただし、同じ取引において２枚目のリジェクト紙幣が発生した場合はフラグが更新される。次に、図１の分岐爪１０が矢印方向に倒れて、異常紙幣はリジェクトスタッカ１１に搬送され収納される（ステップS２０８）。
以上のステップをホッパ２に紙幣がなくなるまで繰り返し行う。ホッパ２に紙幣がなくなったことは、紙幣検知センサ３が紙幣在りから無しを検知することによって判断するようにしてもよい。
ホッパ２に紙幣がなくなると、リジェクトフラグの有無を調べ、フラグがなければ仕切カードを発行する必要がないので、正常紙幣の集計結果を前記取引情報と関連付けて記憶して処理を終了する（ステップＳ２１３）。
【００１３】
一方、リジェクトフラグがある場合は、図１の分岐爪１０が矢印方向に倒れるとともに、仕切カード繰出部１２から仕切カードが１枚繰り出され（ステップＳ２０９）、仕切カードのＩＤが鑑別部７で読み取られて前記取引情報と関連付けられて記憶されるとともに（ステップＳ２１０）、リジェクトスタッカ１１に搬送され、収納される（ステップＳ２１１）。
仕切カードが発行されと、次の取引の処理に備えてリジェクトフラグがクリアされる（ステップＳ２１２）。最後に、正常紙幣の集計結果を前記取引情報と関連付けて記憶して処理を終了する（ステップＳ２１３）。
【００１４】
なお、本実施例では仕切カードに予めＩＤ情報を付しておき、繰り出し時にそれを読み取るようにしているが、白紙のカードに対して繰り出し時に取引情報を印字するようにしてもよい。
また、仕切カードにＩＤが付されていれば、リジェクト紙幣を複数取引分、後で再処理する場合に、リジェクト紙幣と仕切カードを一括して（リジェクトスタッカに入っていたときの順番を崩さないで）ホッパ２に投入して処理することができるので便利である。
【図面の簡単な説明】
【００１５】
【図１】本発明に係る紙幣処理機の断面模式図の一例を示すものである。
【図２】本発明に係る紙幣処理機のブロック図の一例である。
【図３】本発明に係る紙幣処理機の第１実施例のフローチャートである。
【図４】本発明に係る紙幣処理機の第２実施例のフローチャートである。
【符号の説明】
【００１６】
１  紙幣処理機
２  ホッパ
３  紙幣検知センサ
４  繰り出しローラ
６  搬送ローラ
７  鑑別部
８  スタッカ
１１  リジェクトスタッカ
１２  仕切カード繰出部
２４  記憶部
３０  制御部
【図１】
2006236212.tif 000003
【図２】
2006236212.tif 000004
【図３】
2006236212.tif 000005
【図４】
2006236212.tif 000006